(57)【要約】  本発明は、１つ以上の試薬容器を有する試薬セクション、少なくとも１つの顕微鏡スライドが配置されるスライドセクション、所定の顕微鏡スライド上に試薬の一部を分配するためのプローブ；およびプローブを操作するための手段を備える、顕微鏡スライド上に配置される生物学的試料を処理するための装置のための試薬送達システムに関する。プローブは、剛性プローブ部材内に延在し、プローブ先端を空気圧力調節デバイスと接続する連続プローブチュービングエレメントを含む。試薬容器はプローブ先端との協同に適合される。この様式において、流体が保持され得るプローブの内容積を構成する組み立て部分が存在しないので、高い処理量および流体残留物(tresidue)非常に少ない繰越しが達成される。
2007526479.tif 000002
【特許請求の範囲】
【請求項１】
キャリアエレメント上に配置された生物学的試料を処理するための装置における試薬送達システムであって、該装置が、１つ以上の試薬容器を有する固定試薬セクションおよび少なくとも１つのキャリアエレメントが配置される固定染色セクションを含む試薬送達システムにおいて、
所定のキャリアエレメント上に所定の量を分配するために試薬容器から試薬の一部を吸引するためのプローブ；および
プローブを操作するためのプローブ操作デバイス
を含み、
ここで、該プローブは、剛性プローブ部材(102)内に延在し、前記プローブ部材の分配末端(104)から空気圧力調節デバイスへの流体連通を提供する連続プローブチュービング(101)を含み、剛性プローブ部材は、試薬容器の閉鎖部との協同に適合される
ことを特徴とする、試薬送達システム。
【請求項２】
剛性プローブ部材を、該プローブが、隔膜によって被覆される開口部を貫通し、試薬を吸引し、容器から抜き出され得るような様式で少なくとも１つの試薬容器と協同するように配置し、該隔膜が、試薬容器のほとんど気密性の閉鎖部として再生する、すなわち再び実質的に閉鎖した状態になるように適合される、請求項１記載の試薬送達システム。
【請求項３】
隔膜が、複数のセクターまたはフラップを含み、これらは自由に上方または下方に曲がり、それによってプローブの吸引末端が閉鎖部を貫通すること、および該閉鎖部がプローブの後退の後に閉鎖形態を回復することが許容される、請求項２記載の試薬送達システム。
【請求項４】
隔膜が複数のセクターまたはフラップを含み、これらは、初めは弱いラインにより連結されており、プローブが試薬容器中に挿入される最初のとき該弱いラインが壊れ、その後は、自由に上方または下方に曲がり、それによってプローブの吸引末端が閉鎖部を貫通すること、および該閉鎖部がプローブの後退後に閉鎖形態を回復することが許容されるようになっている、請求項２記載の試薬送達システム。
【請求項５】
試薬容器の閉鎖部における隔膜内への貫通を容易にするために、プローブの分配末端が円錐型である、請求項１または請求項２いずれか記載の試薬送達システム。
【請求項６】
試薬容器に識別表示を設けること、およびプローブ操作デバイスが、ロボットデバイスを含み、また、試薬容器上の識別表示から情報を得ることが出来るセンサー素子も含むことを更に特徴とし、該ロボットデバイスが、得られた情報を受け取るコンピューターに接続される、請求項１記載の試薬送達システム。
【請求項７】
１つ以上の試薬容器を含む試薬セクション；
少なくとも１つのキャリアエレメントが配置された染色セクション；
所定のキャリアエレメント上へ試薬の一部を分配するための試薬分配デバイス；および
前記試薬分配デバイスを操作するための操作デバイス
を含み；
ここで、試薬分配デバイスが、剛性プローブ部材内に延在し、前記プローブ部材の分配末端から空気圧力調節デバイスへの流体連通を提供する連続プローブチュービングを含む
ことを特徴とする、キャリアエレメント上に配置された生物学的試料の自動化された処理のための染色装置。
【請求項８】
空気圧力調節デバイスが、チュービングがバルブデバイスによって連通し得る真空源を含む、請求項７記載の染色装置。
【請求項９】
バルブデバイスが、チュービングの分配末端に試薬の所定の量を吸引するまたは分配するために、チュービング内に所定の圧力を提供するために作動可能である、請求項８記載の染色装置。
【請求項１０】
操作デバイスが、
プローブ部材を保持するためのホルダー；および
キャリアエレメントおよび試薬容器に対して所定の位置の間で試薬分配デバイスを移動させるためのロボット運動システム
を含む、請求項７〜９いずれか記載の染色装置。
【請求項１１】
チュービングの内径が、1.0mm〜2.0mm、好ましくは、1.2mm〜1.8mm、より好ましくは、約1.5mm（1/16インチ）等の1.4mm〜1.6mmである、請求項７〜１０いずれか記載の染色装置。
【請求項１２】
チュービングの長さが、0.5m〜2.5m、好ましくは、1.0m〜2.0m、より好ましくは約1.5m等の1.3m〜1.7mである、請求項７〜１１いずれか記載の染色装置。
【請求項１３】
連続チュービングに、らせん状に巻かれたプローブチュービングセクションが設けられる、請求項７〜１２いずれか記載の染色装置。
【請求項１４】
らせん状に巻かれたプローブチュービングセクションがコイル状セクションである、請求項１３記載の染色装置。
【請求項１５】
コイル状セクションが、少なくとも１つの巻き線、好ましくは、5〜30の巻き線、より好ましくは10〜25の巻き線、最も好ましくは、20の巻き線等の15〜22の間の巻き線を含む、請求項１４記載の染色装置。
【請求項１６】
試薬分配デバイスを洗浄するための洗浄ステーションを更に含む、請求項７〜１２いずれか記載の染色装置。
【請求項１７】
バルブデバイスが、プローブチュービングを洗浄およびまたは濯ぐための洗浄溶液または洗浄流体を提供する流体源への接合部を提供するように適合される、請求項８または１６いずれか記載の染色装置。
【請求項１８】
洗浄ステーションが、プローブの分配末端の実質的な部分を収容することが出来る貯蔵部（洗浄排水だめ）、および廃棄するための流出口を含む、請求項１４または１６いずれか記載の染色装置。
【請求項１９】
洗浄流体が廃棄するために排出される前に、プローブの分配末端から排出される洗浄流体がプローブの分配末端の外表面を洗浄するように、廃棄するための流出口が貯蔵部の底部からある距離上方に位置する、請求項１８記載の染色装置。
【請求項２０】
洗浄流体が、チューブ洗浄の要件に従って複数の流体より選択可能である、請求項１７〜１９いずれか記載の染色装置。
【請求項２１】
試薬セクションが、複数の試薬容器または容器アセンブリーのための複数の区画を提供する試薬ラックを含み、区画の断面が、容器または容器アセンブリーの断面と協同する、請求項７〜１２または請求項１６〜２０いずれか記載の染色装置。
【請求項２２】
断面図が、１つの角部が傾斜された/斜めの第５の辺に置き換えられた長方形等の非対称的な多角形である、請求項２１記載の染色装置。
【請求項２３】
試薬容器の上部の壁に、例えば、試薬の型、容器の容積の大きさ、送達の日付、使用の最後の日付を識別表示する情報を含むラベルが設けられ、ロボットヘッドが、コンピューターシステムにラベルの情報を提供することが出来る光学センサーを更に含む、請求項２２記載の染色装置。
【請求項２４】
試薬分配デバイスの導電性部材が、容量レベル検知に適合する電気的回路に接続される、請求項２２記載の染色装置。
【請求項２５】
レベルが所定の限度よりも下である場合、コンピューターシステムが試薬の新しい送達のための指示を発する、請求項２２記載の染色装置。
【請求項２６】
コンピューターシステムが複数の染色装置に接続され、
ここで、コンピューターシステムには、それぞれの試薬容器における試薬流体のレベルを検出するための試薬分配デバイスが使用され、
ここで、コンピューターシステムは、染色手順を開始する前に、レベルセンサーおよび光学センサーを有するロボットシステムに複数の染色装置における試薬容器中の利用可能な量の試薬についての情報を更新させるようにアレンジされ、
ここで、コンピューターシステムは、作業者に、特定の試薬を要求する組織スライドが、かかる特定の試薬の必要な容量を含む試薬容器を有する染色装置において処理されることを推奨するようにアレンジされる、
請求項２２記載の染色装置。
【請求項２７】
キャリアエレメント上に配置される生物学的試料の処理のための染色装置における使用のための試薬分配デバイスにおいて、
試薬が吸引および分配され得る吸引および分配末端、ならびにマウンティング末端を有するプローブ部材；ならびに
内側にプローブ部材が提供され、プローブ部材全体を通して吸引および分配末端から空気圧力調節デバイスに延在する連続的プローブチュービング
を含むことを特徴とする、試薬分配デバイス。
【請求項２８】
チュービングの内径が、1.0mm〜2.0mm、好ましくは1.2mm〜1.8mm、より好ましくは約1.5mm（1/16インチ）などの1.4mm〜1.6mmである、請求項２７記載の試薬分配デバイス。
【請求項２９】
チュービングの長さが、0.5m〜2.5m、好ましくは、1.0m〜2.0m、より好ましくは、約1.5m等の1.3m〜1.7mである、請求項２７または２８記載の試薬分配デバイス。
【請求項３０】
連続的なチュービングに、らせん状に巻かれたプローブチュービングセクションが設けられる、請求項２７〜２９いずれか記載の試薬分配デバイス。
【請求項３１】
らせん状に巻かれたプローブチュービングセクションが、コイル状セクションである、請求項３０記載の試薬分配デバイス。
【請求項３２】
コイル状セクションが、少なくとも１つの巻き線、好ましくは、5〜30の巻き線、より好ましくは、10〜25の巻き線、最も好ましくは、20の巻き線等の15〜22の巻き線を含む、請求項３１記載の試薬分配デバイス。
【請求項３３】
プローブ部材のマウンティング末端が、プローブ操作デバイス上のプローブホルダーにデバイスをマウントするための取り付け部品、例えば、染色装置におけるコンピューター制御ロボットシステムの一部であるロボットヘッド等を含む、請求項２７〜３２いずれか記載の試薬分配デバイス。
【請求項３４】
キャリアエレメント上に配置される生物学的試料の処理のための染色装置における試薬送達システムにおける使用のための試薬容器であって、装置が、1つ以上の試薬容器を有する固定試薬セクション、および少なくとも１つのキャリアエレメントが配置される固定染色セクションを含む試薬容器において、容器の断面が非対称的な多角形であることを特徴とする、試薬容器。
【請求項３５】
容器の断面が、１つの角部が傾斜された/斜めの第５の辺に置き換えられた長方形である、請求項３４記載の試薬容器。
【請求項３６】
箱のような形状を有する試薬容器であって、底部の壁、４つの側面壁、および上部の壁を含み、閉鎖部との協同に適合される１つ(on)の角部が、1つの傾斜された/斜めの側面壁によって置き換えられ、縦横の複数の容器を収容するように配置された試薬容器ラックが対応する区画中に挿入されたとき、容器の指定された方位を確実にする、試薬容器。
【請求項３７】
キャリアエレメント上に配置される生物学的試料の処理のための装置内の試薬送達システムにおける使用のための試薬容器アセンブリーであって、装置が、1つ以上の試薬容器を有する固定試薬セクション、および少なくとも１つのキャリアエレメントが配置される固定染色セクションを含む試薬容器アセンブリーにおいて、試薬容器を収容することが出来るアダプターを構成するカバーまたはシェルを含むことを特徴とし、断面が非対称的な多角形であることを更に特徴とする、試薬容器アセンブリー。
【請求項３８】
アセンブリーならびに試薬容器の断面が、１つの角部が傾斜された/斜めの第５の辺に置き換えられた長方形である、請求項３７記載の試薬容器アセンブリー。
【請求項３９】
試薬容器が、複数のセクターまたはフラップを含み、これらは自由に上方または下方に曲がり、それによって試薬分配デバイスの吸引末端が閉鎖部を貫通すること、および該閉鎖部がプローブの後退後にその閉鎖形態を回復することが許容される、請求項３７記載の試薬容器アセンブリー。
【請求項４０】
ロボットヘッドのX-移動を開始すること、プローブ洗浄位置に対してX-軸に沿って適切な距離ロボットヘッドを動かすこと、ロボットヘッドのX-移動を終了すること、ロボットヘッドのY-移動を開始すること、プローブ洗浄位置に対してY-軸に沿って適切な距離ロボットヘッドを動かすこと、ロボットヘッドのY-移動を終了すること、ロボットヘッドのZ-移動を開始すること、洗浄領域中へプローブ先端を下降させること、ロボットヘッドのZ-移動を終了すること、バルブを切り替えてプローブ洗浄源を始動させること、バルブを開いてプローブ洗浄源からの洗浄液の流れを開始すること、プローブを洗浄すること、バルブを閉じてプローブ洗浄源からの洗浄液の流れを終了すること、ロボットヘッドのZ-移動を開始すること、プローブ先端を上昇させること、ロボットヘッドのZ-移動を終了すること、ロボットヘッドのX-移動を開始すること、所望の試薬容器に対してX軸に沿って適切な距離ロボットヘッドを動かすこと、ロボットヘッドのX-移動を終了すること、ロボットヘッドのY-移動を開始すること、所望の試薬容器に対してY軸に沿って適切な距離ロボットヘッドを動かすこと、ロボットヘッドのY-移動を終了すること、ロボットヘッドのZ-移動を開始すること、所望の試薬容器の上方のプローブ先端を下降させること、ロボットヘッドのZ-移動を終了すること、バルブを切り替えて試薬吸引圧力源を利用すること、バルブを開いて試薬吸引圧力源への接近を開始すること、試薬を吸引すること、バルブを閉じて試薬吸引圧力源への接近を終了すること、ロボットヘッドのZ-移動を開始すること、試薬含有プローブ先端を上昇させること、ロボットヘッドのZ-移動を終了すること、ロボットヘッドのX-移動を開始すること、特定のスライドに対してX-軸に沿って適切な距離ロボットヘッドを動かすこと、ロボットヘッドのX-移動を終了すること、ロボットヘッドのY-移動を開始すること、特定のスライドに対してY-軸に沿って適切な距離ロボットヘッドを動かすこと、ロボットヘッドのY-移動を終了すること、ロボットヘッドのZ-移動を開始すること、特定のスライドの上方の試薬含有プローブ先端を下降させること、ロボットヘッドのZ-移動を終了すること、バルブを切り替えて試薬放出圧力源を利用すること、バルブを開いて試薬放出圧力源への接近を開始すること、試薬を放出すること、バルブを閉じて試薬放出圧力源への接近を終了すること、ロボットヘッドのZ-移動を開始すること、空のプローブ先端を上昇させること、およびロボットヘッドのZ-移動を終了することからなる群の少なくとも１つの動作を含むことを特徴とする、スライドセクション、試薬セクション、およびコンピューター制御されたロボットシステムのロボットヘッド上にマウントされたプローブを有する自動組織染色装置において、試薬を吸引し、キャリア（組織スライド）上の複数の試料上に分配する方法。
【請求項４１】
所望の試薬容器の上方のプローブ先端を下降させることが、プローブ先端が試薬容器の上面密封閉鎖部と接触することを含み、プローブをさらなる距離下降させることによって、プローブに試薬容器の上面密封閉鎖部を貫通させる、請求項４０記載の方法。
【請求項４２】
試薬を吸引し、キャリア（組織スライド）上の複数の試料上に分配する方法において、所定の試薬の複数の所定の容量を吸引することを特徴とし、複数の容量のどの容量も気泡によって隣接する容量と分離されるように試薬の所定の容量のそれぞれの間で所定の量の空気を吸引することを更に特徴とする、方法。
【請求項４３】
生物学的試料を処理するための装置のための試薬容器において、
第１の内容積を含むボトル；および
ボトルを収容し、内部表面および外部表面を有するアダプターであって、外部表面がアダプターのただ１つの方位で装置の貯蔵部と噛み合い、内部表面がボトルのただ１つの方位で装置のボトルと噛み合うアダプター
を含むことを特徴とする、試薬容器。
【請求項４４】
外部表面の一部が、第１の内容積よりも大きい第２の内容積を含む第２のボトルと大きさおよび形状が同一である、請求項４３記載の試薬容器。
【請求項４５】
内部表面が、ボトルの外部表面上の溝と噛み合う突起を有する、請求項４３記載の試薬容器。
【請求項４６】
内部表面が、第１の内容積よりも大きく第２の内容積よりも小さい第３の内容積を含む第３のボトルの外部表面上の溝と噛み合うことが出来る突起を有する、請求項４５記載の試薬容器。
【請求項４７】
内部表面が、ボトルの外部表面上の突起と噛み合う溝を有する、請求項４３記載の試薬容器。
【請求項４８】
内部表面が、第１の内容積よりも大きく第２の内容積よりも小さい第３の内容積を含む第３のボトルの外部表面上の突起と噛み合うことが出来る溝セクションを有する、請求項４７記載の試薬容器。
【請求項４９】
ボトルが、
ボトルからの流体を抜き出しのための孔；および
流体またはボトルに関する情報を提供する識別表示
を含む上面を有する、請求項４３記載の試薬容器。
【請求項５０】
孔が隔膜によって被覆される、請求項４３記載の試薬容器。
【請求項５１】
外部表面が、非対称的な多角形の形状の側面壁を有する、請求項４３記載の試薬容器。
【請求項５２】
該一部が、非対称的な多角形の形状の５つの側面壁からなる、請求項４４記載の試薬容器。
【請求項５３】
第２の容積が50mlであり、第１の容積が1ml、2ml、5ml、10ml、15ml、20mlおよび25mlからなる群より選択される、請求項４４記載の試薬容器。
【発明の詳細な説明】
【技術分野】
【０００１】
本発明は、キャリアエレメント（carrier element）上に配置される生物学的試料を処理するための装置における試薬送達システム、および生物学的試料を処理するための染色装置、ならびに試薬分配デバイスおよびかかる送達システムおよび装置において使用するための試薬容器に関する。本発明は、更に試薬吸引方法および試薬分配方法に関する。
【０００２】
試薬送達システムは、顕微鏡スライドまたは試料チューブ等のキャリア手段上に配置された試料を処理するための染色装置等の自動試料処理装置に使用され、複数の試薬を含むステーション（station）から選択された試薬の一部を吸引することによって装置に近いまたは装置中のあらかじめ定められた場所に配置し得、その後試薬を、キャリア手段上に配置された例えば組織、器官細胞、バクテリア等の試料に分配する。本発明は、試薬の吸引および分配を容易にする。
【背景技術】
【０００３】
プローブによって試料を染色および処理するための染色装置は、通常１つ以上の試薬バイアルを含むための第１のステーション；スライドを据え付けるための第二のステーション、選択された試薬バイアルから試薬の一部を吸引するために配置され、試料が配置されたスライド上に試薬を分配するプローブ、および様々なステーション間のプローブを動かすための移動（drive）手段を含む。
【０００４】
試料は、本出願において、例えば細胞株、タンパク質および合成ペプチド、組織、細胞調製物、血液、体液、骨髄、細胞学的標本、血液スミア、薄層調製物、およびマイクロアレイを含む組織および細胞標本などの生物学的試料、具体的には、顕微鏡スライド上の生物学的試料の組織学的試料として理解されるべきである。
【０００５】
染色という用語は、プロセスの最終産物に対して使用され、これによって試料のある部分が染色され得、すなわち目に見える範囲かもしくは紫外線等の別の電磁範囲のいずれかによって異なる色を獲得し得るか、または該染色は検出可能、好ましくは自動的に検出可能であり、蛍光特性、磁性、電気的特性もしくは放射性特性等の特性を変化させ得る。染色を得るために、試料は、通常、限定されないが、洗浄、試料の特異的部分への試薬の結合、試薬の活性化等の一連の処理工程を経る必要があり、それぞれの処理工程は、複数の個別の処理を含み得る。
【０００６】
バイアルステーションは、少なくとも２つ、しかししばしば20〜60バイアル以上である複数のバイアルの集合であり、これはお互い物理的に近接に配置され得るか、または配置され得ない。ステーションという用語は、バイアルがその制限された領域の中に位置しなければならないことを示すのではなく、むしろそれは複数のバイアルの存在を示す。プローブ移動手段は、関節アームまたは１つのトラックもしくはプローブ移動手段のプローブ保持器を置き換えることができる垂直トラックの一式のような、２または３の自由度を有するロボットアーム(robot arm)であり得、ここでプローブ保持器はトラックまたは垂直トラックに対して標準的な方向に動かし得る。当業者は、例えば、上記の組み合わせのプローブ移動手段を容易に設計し得る。キャリア手段は、例えば以下の実施例において議論されるようなキャリア手段の個別の列によって構成される2次元配列の装置に提供され得るか、またはキャリア手段は、例えば円形コンベヤーに配置された、またはキャリア手段の列として配置された当該分野で公知の任意の方法によって提供され得る。キャリア手段はまた、例えばプローブ移動手段の操作領域を自動的に通過する進歩的な循環列（endless row）において、またはプローブ移動手段の移動方向に対して垂直方向に移動し得る２次元配列として等、プローブ移動手段に関して可動的に配置され得、そのためプローブは、プローブおよび配列の組み合わせられた動きによって任意のキャリア手段に到達し得る。
【０００７】
キャリア手段は、好ましくはトレイ上の群または列等の中に配置され、そのため複数のキャリア手段は、装置から取り除かれ得るかまたは同時に装置中に固定され得、該装置はまた、好ましくはそれ上の試料を有するキャリア手段の中間保存および自動的に装置からのキャリア手段の除去を実行する方法を含む。
【０００８】
染色装置の操作は制御手段によって一般的に制御され、中央処理ユニットおよびそれと関連する１つ以上の記憶ユニットを有するコンピューターが典型的に、ステップモーター、筒形コイル、バルブおよび/または装置の他の移動もしくは制御部分を制御することにより装置の種々の操作を制御することを意味するであろう。制御手段は、ワイヤまたは無線によって、外部のコンピューターとデータ通信が可能になる１つ以上のデータ通信ポートを有し得る。制御手段は、装置それ自体の中に物理的に配置される必要は無いが、染色装置に対する外部のコンピューターであり得、そのデータ送信ポートを介して装置に接続し得る。
【０００９】
本発明が特に関連し得る適用は、免疫組織化学、インサイチュハイブリダイゼーション、蛍光インサイチュハイブリダイゼーション、特別な染色、および細胞学、ならびに潜在的に他の化学的な、および生物学的な適用を含む。
【００１０】
免疫組織化学的(IHC)適用ならびに他の化学的および生物学的分析における試料処理は、１つ以上の試料の分析部分として、１つもしくはいくつかの様々な処理順序または計画案（protocol）を必要とし得る。試料処理順序または計画案は、病院の病理学者または組織学者等の分析を要求する個人または組織によって規定され得、実行される特別な分析の指図によって更に規定され得る。
【００１１】
試料分析のための調製において、生物学的試料は、公知の試料取得技術によって得られ得、例えばIHC適用において、一般的に組織を含み得、またはいくつかの適用においてさえ、マイクロアレイ試料中等に１つ以上の単離された細胞を含み得、顕微鏡スライド等の試料キャリア上に存在し得る。更に試料は、いくつかの保存の形態で、様々におよび潜在的に、キャリア上に存在し得る。１つの例として、皮膚の層または薄片等の試料は、ホルムアルデヒド中に保存され、１つ以上のパラフィンを有するキャリアまたは試料に浸透する他の化学的層上に存在し得る。
【００１２】
例えば、免疫学的および組織学的適用は、特にインサイチュハイブリダイゼーション(ISH)技術のために脱パラフィン化、標的回復（target retrieval）、および染色等の工程を含む処理順序または計画案を要求し得る。以前に、いくつかの適用において、これらの工程は手動で行われ、潜在的に時間集約的計画案を創作し、人員を積極的に試料処理に関与させることを余儀なくさせてきた。試みが行われ、適切な試料処理および手動より煩わしくない操作に対する必要性に注意を向ける（address）ために試料処理を自動化にした。しかしながら、かかる先の努力は、自動化試料処理システムに対する必要性に十分向けられてなかったかもしれない。試料処理を自動化にする先の努力は、十分なコンピューター制御および試料処理のモニタリングの欠如；処理計画案および処理状態、特に個別の試料に対する情報共有の欠如；診断能力の欠如；および多様な試料バッチ（batch）処理に対するリアルタイムのまたは適用性能力の欠如等のより粗野な（robust）自動化試料処理を防止するいくつかの局面において不十分であり得る。
【００１３】
Ventana Medical Systems, Incに対する米国特許第 6,352,861号、およびLabVision Corporationに対する米国特許第 5,839,091号等の、スライドなどのキャリア上に存在する試料に対する自動化試料処理への過去の努力は、種々の利益および本明細書中に示されるような特徴の他の組み合わせを提供しなかった。
【００１４】
US-A-5,948,359は、上記した型の装置を開示し、ここで第１のステーションは、異なる染色目的に適合された異なる試薬の幅広い範囲を提供するために、40以上のバイアルを保持するバイアルホルダーを含み、それによって異なる染色処理を必要とする多数のスライドグラスを自動的に染色する可能性がある。実際、装置がその中で多くの異なる染色処理を実行し得ることを容易にするのは非常に重要であり、なぜならこれは同様の手順または試薬による他の処理を必要とするバッチング試料の必要性を避け、それぞれのバッチを個別に処理するからである。
【００１５】
US-A-5,839,091は、染色装置および上記の種類の方法を開示し、該装置は、スライドグラス上に試薬を適用するための試薬プローブアセンブリーを含み、ここでプローブは、洗浄ステーションにおいて個別の試薬適用の間に洗浄される。
【００１６】
US6,537,818は、試薬を吸引するおよび分配するシステムならびに方法を開示する。またUS 2003/0194349；US6,498,037；US 6,436,349；US 5,213,764, US 4,869,114；およびUS 3,960,020は試薬を分配するプローブを示す。
【００１７】
本発明の目的は、試料処理装置およびプローブアセンブリー(assembly)のための試薬送達システムを提供することであり、従ってここで分配された容量および処理量の正確さは、ここで既知のものより良好である。更に、本発明の目的は、自動的に行われ得る異なる染色および/または処置過程の数を増加させるため、あるいはまたは更に、いくつかの特異的染色処理の質の向上を提供するために、より広範囲の利用可能な処理過程を容易にすることにより、試料を染色するための既知の装置および試料の自動的染色のための方法に対して改良することである。
【００１８】
発明の開示
発明の概要
本発明は、キャリアエレメント上に配置(arrange)された生物学的試料を処理するための装置における試薬送達システムを提供し、該装置は、１つ以上の試薬容器を有する固定試薬セクション(section)および少なくとも１つのキャリアエレメントが配置される固定染色セクションを含み；試薬送達システムは、所定のキャリアエレメント上に試薬の所定の量を分配するために試薬容器から試薬の一部を吸引するためのプローブ(probe)、プローブを操作するためのプローブ操作デバイスを含み；ここで該プローブは、剛性(rigid)プローブ部材(102)内に延在(extend through)し、前記プローブ部材の分配末端(104)から空気圧力調節デバイスへの流体連通(fluid communication)を提供する連続プローブチュービング(tubing)(101)を含み、ここで剛性プローブ部材は、試薬容器の閉鎖部(closure)との協同(cooperation)に適合(adapt)させる。プローブの内側に沿って組み立て部分(assembled parts)が存在しないため、プローブは洗浄し易いので、この構造は非常に少ない繰越し(carry-over)で速い操作を可能にする。更に、速い操作を支持するために、２つ、３つまたは４つのプローブ等の複数のプローブが、それぞれの分配の間にプローブを洗浄すること無しで異なる試薬を分配させるために提供され得る。
【００１９】
剛性プローブ部材は、該プローブが、隔膜(septum)を含むキャップによって被覆(cover)される開口部を貫通し、試薬を吸引し、容器から抜き出され得るような様式で少なくとも１つの試薬容器と協同するように配置し、該隔膜は、試薬容器の(almost)気密性の閉鎖部として再生する、すなわち再び実質的に閉鎖した状態になるように適合される。これは、プローブが試薬容器中の内容物に容易に接近(access)し得るので有利である。キャップを取り除く場合に時間は浪費されず、なお、ほとんど気密性の閉鎖部として再生させる隔膜の能力によって、試薬は蒸発および汚染に対して保護される。
【００２０】
好ましい態様において、隔膜は、複数のセクター(sector)、例えば４つのセクター、例えば、自由に(are free to)上方(upwards)または下方(downwards)に曲がり(flex)、それによってプローブの吸引末端が閉鎖部を貫通すること、および該閉鎖部が、プローブの後退(retraction)後にその閉鎖形態をほぼ回復することが許容されるフラップ(flap)を含む。
【００２１】
好ましくは、隔膜は、複数のセクター、例えば４つのセクター、例えば、初めは(originally)弱いライン(lines of weakness)により連結(connect)されており、プローブが試薬容器中に挿入される最初のとき該弱いラインが壊れ(break)、その後は、自由に上方または下方に曲がり、それによってプローブの吸引末端が閉鎖部を貫通すること、および該閉鎖部がプローブの後退後にその閉鎖形態をほぼ回復することが許容されるフラップを含む。
【００２２】
好ましくは、試薬容器の閉鎖部における隔膜内への貫通を容易にするために、プローブの分配末端は、円錐型である。
【００２３】
好ましくは、試薬容器には識別表示(identification)が設けられ(provide with)、およびプローブ操作デバイスはロボットデバイス(robotic device)を含み、また、試薬容器上の識別表示から情報を得ることが出来るセンサー素子(sensor element)を含み、該ロボットデバイスは、得られた情報を受け取るコンピューターに接続される。かかる識別表示は、自動染色機における試薬送達を制御するコンピューターシステムが、装置の試薬セクションに位置する試薬容器についての情報を得ることを可能にする。このようにして、試薬送達システムが指示された試薬を吸引しているかをチェックすることが可能である。
【００２４】
本発明はまた、キャリアエレメント上に配置された生物学的試料の自動化された処理のための、１つ以上の試薬容器を含む試薬セクション；少なくとも１つのキャリアエレメントが配置された染色セクション；所定のキャリアエレメント上へ試薬の一部を分配するための試薬分配デバイス、前記試薬分配デバイスを操作するための操作デバイスを含み；ここで、試薬分配デバイスは、剛性プローブ部材内に延在し、前記プローブ部材の分配末端から空気圧力調節デバイスへの流体連通を提供する連続プローブチュービングを含む、染色装置を提供する。
【００２５】
空気圧力調節デバイスは、チュービングがバルブデバイスによって連通し得る、真空源を含み得る。好ましくは、前記バルブデバイスは、チュービングの分配末端で試薬の所定の量を吸引するまたは分配するために、チュービング内に所定の圧力を提供するために作動可能(operable)である。チューブの内側の圧力を制御することによって、液体の吸引および分配を、正確に制御し得る。プローブチュービングを操作するための空気式(pneumatic)手段を使用することによって、真空をチュービングに適用することによって試薬が試薬容器から抜き出され得るので、試薬容器内の利用可能な(available)試薬と同様にプローブチュービング内での利用可能な容量は十分に活用(exploit)され得る。
【００２６】
好ましい態様では、操作デバイスは、プローブ部材を保持するためのホルダー；ならびにキャリアエレメントおよび試薬容器に対して所定の位置の間で試薬分配デバイスを移動させるためのロボット運動(motion)システムを含む。該試薬分配デバイスは、デバイスをある容量の試薬を吸引するための特定の試薬容器に向けることが出来る、および特定の顕微鏡スライドに移動させてその容量の試薬を分配させることが出来るコンピューター制御ロボットシステムによって動かされる。
【００２７】
プローブの好ましい態様において、チュービングの内径は、1.0mm〜2.0mmの間、好ましくは、1.2mm〜1.8mmの間、より好ましくは、約1.5mm（1/16インチ）等の1.4mm〜1.6mmの間である。吸引された容量の試薬をチューブ内にとどめて置き(withhold)得るように、内径を選択する。更に、細いチューブは、それぞれの試薬容量間で吸引された気泡によって分離(separate)された複数の吸引容量を許容する(allow for)。プローブのみが試薬セクションからスライドを有する染色セクションに一度移動するので、複数の顕微鏡スライドに対する複数の容量を吸引することは、非常に時間を節約し、装置の高い処理量(through-put)を支持する。
【００２８】
チュービングの長さは、0.5m〜2.5m、好ましくは、1.0m〜2.0m、より好ましくは、約1.5m等の1.3m〜1.7mであり得る。該長さは、複数の容量の試薬を吸引する能力に対して有利である。従って、該長さは、装置の高い処理量を支持する。
【００２９】
好ましい態様では、連続的チューブビングには、らせん状に巻かれたプロービングチューブセクションが設けられる。これは長くて細いチュービングの収容(accommodation)に対して有利である。更に、プローブが上下に移動する場合、らせん状のセクションは、要求される柔軟性を提供する。このことは、長いチュービングの反対側の末端が、空気的システム（pneumatic system）に恒久的に(permanently)接続し続ける(stay)ため、有利である。
【００３０】
好ましい態様では、らせん状に巻かれたプローブチュービングセクションは、コイル状セクションである。コイル状セクションは、少なくとも１つの巻き線(winding)、好ましくは、5〜30の間の巻き線、より好ましくは、10〜25の間の巻き線、最も好ましくは、20の巻き線等の15〜22の間の巻き線を含み得る。
【００３１】
染色装置は、試薬分配デバイスを洗浄するための洗浄ステーション(station)を含み得る。該バルブデバイスは、更に、プローブチュービングを洗浄およびまたは濯ぐための洗浄溶液(wash solution)または洗浄流体(wash fluid)を提供する流体源への接合部(connection)を提供するように適合され得る。好ましくは、洗浄ステーションは、プローブの分配末端の実質的な(substantial)部分を収容することが出来る貯蔵部(receptacle)（洗浄排水だめ(wash sump)）、および廃棄するための流出口(outlet to the waste)を含み、洗浄流体が廃棄するために排出される前に、プローブの分配末端から排出される洗浄流体が、プローブの分配末端の外表面を洗浄するように、廃棄するための流出口が、貯蔵部の底部からある距離上方に位置し得る。従って、プローブは、単一の処理において、速いおよび効果的な様式で内側同様に(as well as)外側を洗浄し得る。洗浄の後、プローブは、バルブデバイスを通ってチューブに供給される空気によって乾燥され得る。洗浄流体は、チューブ洗浄の要件に従って、複数の流体より選択可能であり得る。
【００３２】
本発明による染色装置において、試薬セクションは、複数の試薬容器または容器アセンブリーのための複数の区画(compartment)を提供する試薬ラックを含み、区画の断面は、容器または容器アセンブリーの断面と協同する。該断面は、１つの角部(corner-section)が傾斜された(slanted)/斜めの(oblique)第５の辺(side)に置き換えられた長方形等の非対称的な多角形であり得る。
【００３３】
本発明による染色装置において、試薬容器の上部の壁に、例えば、試薬の型、容器の容積の大きさ、送達の日付、使用の最後の日付を識別表示する情報を含むラベルが設けられ、ロボットヘッド(robot head)は、コンピューターシステムにラベルの情報を提供することが出来る光学センサーを更に含む。これらの特徴は、特定のスライドへの指示された試薬の適用の完全な制御を可能にするために、自動化された染色装置の操作に対して不可欠である。制御システムは、異なる関連性のあるデータを記録するおよび追跡するため、ならびに制御システムに伝達(transmit)された所定の染色プロトコルに従ってロボット運動および洗浄活動を制御するためのソフトウェアを含み得る。
【００３４】
好ましい態様において、試薬分配デバイスの導電性部材は、容量レベル検知(capacitive level sensing)（電気容量を検知することによって試薬レベルを検出する能力を有する、およびコンピューターシステムに対する検出されたレベルについての情報を転送するのに適合）に適合された電気的回路に接続する。更に、レベルが所定の限度よりも下である場合、コンピューターシステムを、試薬の新しい送達のための指示を発するように適合され得る。
【００３５】
コンピューターシステムが複数の染色装置に接続され、それぞれの試薬容器における試薬流体のレベルを検出するために(to detect)試薬分配デバイスを更に使用する好ましい態様では、制御プログラム(controlling program)を、レベルセンサーおよび光学センサーを有するロボットシステムに、染色手順を開始する前に、複数の染色装置における試薬容器中の利用可能な量の試薬についての情報を更新するように適合され、更に、作業者に、特定の試薬を要求する組織スライドが、かかる特定の試薬の必要な容量を含む試薬容器を有する染色装置において(in)処理されることを推奨するように適合される。
【００３６】
本発明は、キャリアエレメント上に配置される生物学的試料の処理のための染色装置における使用のための試薬分配デバイスを提供し、前記デバイスは、試薬が吸引および分配され得る吸引および分配末端、ならびにマウンティング(mounting)末端を有するプローブ部材、を含み；連続的プローブチュービングには、内側にプローブ部材が提供され、前記チュービングは、プローブ部材全体を通して(through)吸引および分配末端から空気圧力調節デバイスに延在する。プローブの内表面には組み立て部分が存在しないので、かかるプローブは洗浄し易く、繰越しは最小化される。
【００３７】
好ましくは、チュービングの内径は、1.0mm〜2.0mm、好ましくは、1.2mm〜1.8mm、より好ましくは、約1.5mm（1/16インチ）などの1.4mm〜1.6mmである。好ましくは、チュービングの長さは、0.5m〜2.5m、好ましくは、1.0m〜2.0m、より好ましくは、約1.5m等の1.3m〜1.7mである。これは、プローブが、複数の吸引された容量の試薬を含むことを可能とする内容積を有することを許容する。このようにして、該プローブは、複数の試薬容量を試薬セクションから染色セクションにプローブの１回の運動で試薬セクションからスライドセクションからスライドセクションに移動させ得、ここで、該複数の試薬容量が複数の特定の顕微鏡スライド上に分配され得る。これは、相当な時間を節約する。これはまた、多数の生物学的試料、例えば、スライドのバッチ（batch）を染色するための、大容量の試薬を抜き出す(withdraw)ことを可能にする。これは、本発明による染色装置における生物学的試料の速い処理をもたらす。
【００３８】
好ましくは、連続的なチュービングに、らせん状に巻かれたプローブチュービングセクションが設けられ、該らせん状に巻かれたプローブチュービングセクションはコイル状セクションであり得、ここで、コイル状セクションは、少なくとも１つの巻き線、好ましくは、5〜30の間の巻き線、より好ましくは、10〜25の間の巻き線、最も好ましくは、20の巻き線等の15〜22の間の巻き線を含む。これは、長く細いチューブの収容に対して有利である。更に、プローブが上下に動かされる場合、らせん状のセクションは、要求される柔軟性を提供する。
【００３９】
好ましい態様において、プローブ部材のマウンティング末端は、プローブ操作デバイス上のプローブホルダーにデバイスをマウント(mount)するための取り付け部品(fitting)、例えば、染色装置におけるコンピューター制御ロボットシステムの一部であるロボットヘッド等を含む。
【００４０】
本発明は、さらに、容器の断面が非対称的な多角形であることを特徴とする、請求項１〜６いずれか記載の試薬送達システムにおける使用のための試薬容器を提供する。好ましい態様において、容器の断面は、１つの角部が傾斜された/斜めの第５の辺に置き換えられた長方形である。
【００４１】
本発明によれば、試薬容器は、箱のような形態を有し得、底部の壁、４つの側面壁、および上部の壁を含み、１つの角部は、１つの傾斜された/斜めの側面壁に置き換えられ、縦横の(in rows and columns)複数の容器を収容するように配置された試薬容器ラックが対応する区画中に挿入されたとき、容器の指定された(specified)方位(orientation)を確実にする。
【００４２】
本発明によれば、試薬容器を収容することが出来るアダプター(adapter)を形成するカバー(covering)またはシェル(shell)を含むことを特徴とし、および更に、アセンブリーの断面図が非対称的な多角形であることを特徴とする、請求項１〜６のいずれか記載の試薬送達システムにおける使用のための試薬容器アセンブリーを提供する。好ましくは、アセンブリーの断面ならびに容器の断面は、１つの角部が傾斜された/斜めの第５の辺に置き換えられた長方形である。
【００４３】
好ましい態様において、試薬容器は、複数のセクター、例えば４つのセクター、例えば、自由に上方または下方に曲がり、それによって試薬分配デバイスの吸引末端が閉鎖部を貫通すること、および該閉鎖部が、プローブの後退後にその閉鎖形態を回復することが許容されるフラップを含む閉鎖部を含む。
【００４４】
ロボットヘッドのX-移動(X-movement)を開始すること；プローブ洗浄位置に対してX-軸に沿って適切な距離ロボットヘッドを動かすこと；ロボットヘッドのX-移動を終了すること；ロボットヘッドのY-移動を開始すること；プローブ洗浄位置に対してY-軸に沿って適切な距離ロボットヘッドを動かすこと；ロボットヘッドのY-移動を終了すること；ロボットヘッドのZ-移動を開始すること；洗浄領域中へプローブ先端を下降させること；ロボットヘッドのZ-移動を終了すること；バルブを切り替えてプローブ洗浄源を始動させること；バルブを開いてプローブ洗浄源からの洗浄液(wash liquid)の流れを開始すること；プローブを洗浄すること；バルブを閉じてプローブ洗浄源からの洗浄液の流れを終了すること；ロボットヘッドのZ-移動を開始すること；プローブ先端を上昇させること；ロボットヘッドのZ-移動を終了すること；ロボットヘッドのX-移動を開始すること；所望の試薬容器に対してX軸に沿って適切な距離ロボットヘッドを動かすこと；ロボットヘッドのX-移動を終了すること；ロボットヘッドのY-移動を開始すること；所望の試薬容器に対してY軸に沿って適切な距離ロボットヘッドを動かすこと；ロボットヘッドのY-移動を終了すること；ロボットヘッドのZ-移動を開始すること；所望の試薬容器の上方のプローブ先端を下降させること；ロボットヘッドのZ-移動を終了すること；バルブを切り替えて試薬吸引圧力源を利用(utilize)すること；バルブを開いて試薬吸引圧力源への接近(access)を開始すること；試薬を吸引すること；バルブを閉じて試薬吸引圧力源への接近を終了すること；ロボットヘッドのZ-移動を開始すること；試薬含有プローブ先端を上昇させること；ロボットヘッドのZ-移動を終了すること；ロボットヘッドのX-移動を開始すること；特定のスライドに対してX-軸に沿って適切な距離ロボットヘッドを動かすこと；ロボットヘッドのX-移動を終了すること；ロボットヘッドのY-移動を開始すること；特定のスライドに対してY-軸に沿って適切な距離ロボットヘッドを動かすこと；ロボットヘッドのY-移動を終了すること；ロボットヘッドのZ-移動を開始すること；特定のスライドの上方の試薬含有プローブ先端を下降させること；ロボットヘッドのZ-移動を終了すること；バルブを切り替えて試薬放出圧力源を利用すること；バルブを開いて試薬放出圧力源への接近を開始すること；試薬を放出すること；バルブを閉じて試薬放出圧力源への接近を終了すること；ロボットヘッドのZ-移動を開始すること；空のプローブ先端を上昇させること；およびロボットヘッドのZ-移動を終了すること；を含む群からの少なくとも１つの動作(action)を含むことを特徴とする、スライドセクション、試薬セクション、およびコンピューター制御されたロボットシステムのロボットヘッド上にマウントされたプローブを有する自動組織染色装置において、試薬を吸引し、キャリア（組織スライド）上の複数の試料上に分配する方法を、本発明は更に提示する。従って、任意の試薬容器が、ロボットシステムの移動の組み合わせによりプローブによって接近され−試薬の所定の容量または複数の所定の容量は吸引され得−その後、１つまたは複数の指定されたスライドに分配され得る。該方法は、装置の高い処理量を許容する、非常に効率的で正確なスケジュールを可能にする。
【００４５】
好ましくは、該方法によれば、所望の試薬容器の上方のプローブ先端を下降させることは、プローブが試薬容器の上面密封閉鎖部(sealing top closure)と接触することを含み、プローブをさらなる距離下降させることによって、プローブに試薬容器の上面密封閉鎖部を貫通させ、それによって、キャップを外すことなく、しかし試薬の蒸発はほとんどまたは全く無く、試薬容器の内容物にプローブを接近させることを可能にする。
【００４６】
所定の試薬の複数の所定の容量を吸引することを特徴とし、複数の容量のどの容量も気泡によって隣接する容量と分離(separate)されるように試薬の所定の容量のそれぞれの間で空気の所定の量を吸引することを更に特徴とする、試薬を吸引し、キャリア（組織スライド）上の複数の試料上に分配する方法を、本発明は更に提供する。このようにして、複数の所定の容量が、非常に正確に複数のスライドに分配され得る。
【００４７】
この方法によれば、第１の試薬の所定の容量を吸引したプローブチュービングは、第１の試薬容器から取り出(remove)され得、空気の所定の量を吸引し、チューブ内に空気のギャップ(gap)または気泡を形成し、次いで第２の試薬容器中に入って第２の試薬を吸引する。気泡は、２つの試薬を分け、泡のメニスカス（meniscus）がチュービング内壁内でワイパーとして作用し、これらの２つの異なる流体の間の相互汚染を排除する。同様に、複数の異なる試薬は、ロボットヘッドが染色機(stainer)の試薬セクション上部にプローブを配置する１回の期間の間に、吸引され空気によって分離され得る。その後、コンピューター制御ロボットヘッドは、プローブを、スライドを有するセクションに動かし得、および以降の期間の間、異なる試薬が要求され得る(possibly)１つまたは複数のスライド上に１つ以上の試薬を分配する。
【００４８】
本発明の好ましい態様において、チュービングの内径は、1.5mm（1/16インチ）である。小さい内径は、気泡がチューブの中を移動するとき安定した形態を維持するのを可能にする。それぞれの単一の泡は、単一の存在物の状態を継続し(stay)、多数の泡に分解せず；いずれの他の泡と一緒に崩壊(collapse with)し得ない。この挙動は、複数の流体容量がプローブによって吸引された場合でさえ、分配される流体量が正確に制御され得ることを意味する。複数の分離された容量を吸引の可能性は、染色セクションにおける１つまたは複数のスライド上への流体の速い分配を許容する。
【００４９】
次に、本発明は、添付の図面に関してさらに詳細に説明され、本発明の現在好ましい態様の非限定的な例として示される。
【００５０】
図において示され、かつ以下に詳細に記載される態様は、本発明による装置の例としてのみ考えられるべきであり、添付の特許請求の範囲に記載されるような本発明のより広い範囲を限定しない。以下の実施例において、本発明による試料処理装置は、染色装置である。
【００５１】
発明を実施するための形態
詳細な説明
例：  発明を実施するための最良の形態
本発明による染色装置の好ましい態様は、図１に示される。染色装置１（図１、２）は、各々がその中に配置された試薬容器３を有し得る試薬容器区画のアレイを含む少なくとも１つの試薬ステーション２を取り囲むフレーム４、ならびにいくつかの独立したラックアセンブリー６が配置される第１および第２のスライドセクション５を含み、それぞれのラックアセンブリー６は、ラックアセンブリー６中に並行して取り付けられたいくつかの顕微鏡スライド７を収容する。示される態様において、それぞれのラックは、スライド８枚まで保有可能であるが、ラックは任意の適切な数のスライドを保有するために設計され得る。８つのラックを並行に配置することで、示された態様はスライド７を６４枚まで保有可能となり、それぞれは生物学的試料、例えばスライドの上側にマウントされた組織を収容し、そのため試薬が上方からそれぞれのスライド上の試料に適用され得る。
【００５２】
また、試薬セクション２における試薬容器区画は、複数の試薬容器区画を収容する、いくつかの独立した容器ラックとして配置され得る。好ましくは、試薬容器および区画は、試薬の誤った位置選定を避けるために協同するように設計される。
【００５３】
好ましい態様において、スライドおよび試薬への接近を容易にするために、ラックアセンブリーを引き出し(drawer)として配置する。
【００５４】
図１中でX、Y、およびZと名称のついた矢印によって示されるように、XおよびY（ならびにZ）方向への動きを提供するように配置されたロボットシステムを、染色装置のフレーム４の上部または内部に配置する。ロボットシステムは、プローブの形状である流体分配デバイス10を動かすためのアーム２０を含む。ロボットアーム20は、従って、全ての試薬容器３上方および全ての顕微鏡スライド７上方にプローブ10を位置設定し、更にプローブ10を操作して任意の容器３中に含まれる試薬の一部を吸引し、それぞれのスライドグラス７上の試料の選択された染色または処理を提供するために、任意のスライド７に試薬の一部を移して適用し得る。好適な制御手段、例えば適切なソフトウェアおよび目的のためのインプットデータを有するコンピューター（図示せず）の使用によって、この染色装置１は、異なる染色または処置試薬および処理を必要とする試料を自動的に染色または処理することが可能となる。
【００５５】
図１および３、ならびにより詳細に、図４および５に示されるように、プローブ10は、ロボットヘッド22中に取り付けられ、ロボットシステムによって操作され得る。プローブ10は、上部（Z方向に）に上げられ得、ここでプローブ10のすぐ下の容器３は空である。更に、選択された試薬容器またはボトル３の内容物にプローブ先端を挿入するために、および選択された染色または処理方法のための試薬の選択された量を吸引するために、ロボットは、ロボットヘッド２２において、プローブ１０を下降させるための手段（例えばラックアンドピニオンまたは水圧ピストン等の周知の種類であり得る）を含む。
【００５６】
ロボットヘッド22にはまた、下向きのCCDカメラ25等の更なるエレメントが提供され得る。カメラを利用して、スライドおよび試薬容器、ならびに、例えばシステム内の試薬の型および試薬の位置を決定するための試薬容器上に提供される暗号化された情報の読み取りのような作業領域における装置の他の特徴の現状情報を得る（判定(determine)する）。ロボットヘッド22には、スライドを乾燥させるため(in order)、または液体を吹き払うためにスライド上に空気を吹きつけるための空気ノズル122が提供され得る。
【００５７】
ロボットヘッド22のカメラ25は、スライド上に提示される組織試料または実行される処理プロトコルに関する、情報またはデータベースにおける情報の位置等を示す組織試料キャリアの現状、例えば特定のスライドまたは暗号化情報等の情報のしるし（indicia）を判定し得る。いくつかの態様において、このカメラはまた、スライド上の試料の位置確認をするために、試料の大きさを計算するために、および試料を処理するのに必要とされる試薬の最も効率的な容量を自動的に計算するために使用され得る。この能力により、染色機１は、使用者の介入無しで進行中に（on the fly）該容量が自動的に調節され得る。
【００５８】
本態様の染色装置１は、プローブ洗浄ステーション８および試薬混合機９をさらに含み得、プローブ10を洗浄ステーション８および試薬混合機９に移動させるようにロボットシステムを更にアレンジ(arrange)し得る。
【００５９】
プローブ
プローブ10は、図６および７において詳細に示される。プローブ10は、らせん状セクション103を有する連続チュービング101およびプローブ先端とも称される分配末端１０４を有するプローブ部材102、ならびにロボットヘッド22上に取り付けられるための取り付け部品105を有するマウンティング末端を含む。好ましくは、プローブ部材１０２は剛性チューブであり、これは300−シリーズステンレス鋼等の金属から作製され得、フッ素ポリマー、例えばテフロン（登録商標）で被覆され得る。好ましくは、チュービング内部もまた、テフロン（登録商標）等のフッ素ポリマーである。プローブのための材料は、試料処理の間にそれが曝露されるであろう流体に耐え得なければならない。かかる流体としては水性、アルコール性、酸性、塩基性、および有機系の溶媒液が挙げられ得る。
【００６０】
好ましくは、分配末端104（図６〜７）は円錐型である。好ましくは、チュービング101を、プローブ部材102の全ての内表面を被覆するプローブ部材102の内側ライニング（inner lining）として配置する。チュービング101の他の末端は、任意の所望の圧力を提供することが可能で、プローブが流体の所定の量を吸引、保留（withhold）、または分配出来るようにするコンピューター制御空気的システム（pneumatic system）への接続のための取り付け部品106となっている。剛性プローブ部材102を、ロボットヘッド22上のホルダー205（図４〜５）中に、取り付け部品105で取り付ける。
【００６１】
好ましくは、ホルダー205をラックアンドピニオンドライブ(drive)に取り付け、下にある試料に対しプローブを垂直方向に上昇させるかまたは下降させて動かし得る。
【００６２】
プローブ10のらせん状に巻かれたセクション103は、少なくとも１つの巻き線、好ましくは複数の巻き線を含む。プローブ10がロボットヘッド22によって上下または任意の他の方向に動くにつれて、それが曲がり(flex)得るという点で有利である。更に、らせん状に巻かれたセクション103におけるチュービングのこのセクションは、プローブが比較的大きな流体内容物を保持し得るように、チューブ中にかなり増加した内部容量を提供し得る。
【００６３】
例：  好ましい態様において、チュービング101の内径は、約1.5mmである。１つの態様において、プローブは、約2.5mlの容量を吸引することが出来るであろう。従って、チュービング101の長さは、約1.5mである必要がある。かかる長さは、約20の巻き線および約20mmの直径を有するコイルセクションを含むことによって収容され得／達成され得、約1260mmを提供する。剛性プローブ部材の長さおよびコイルから取り付け部品106までのチュービングセクションの長さをそこに加えることによって、全体で1.5mのチュービングが得られうる。明らかに、チュービング101は他の流体容量を収容するために設計され得る。試薬容器から混合機および/またはスライドまでのプローブの移動の際に、流体の粘度がプローブ中に流体を確保(secure)するために、チュービングの内径を決定する。
【００６４】
選択された試薬容器の上部にプローブ10が並べられる(align)場合、好ましくはロボットヘッドを調節(adapt)してプローブ10を低くする。好ましい態様において、ロボットヘッドによってそのように強要される場合、プローブ先端104が貫通し得るカバーによって試薬容器３は被覆される。これは、「閉じた」容器設計、すなわち、全使用有効期間を通して常に保護カバーまたは隔膜が提供される試薬容器を可能とするので、プローブ10が自動的に容器中へ入り得ることは都合が良い。
【００６５】
試薬容器３を被覆するカバー(cover)または隔膜を貫通した後、容器中の流体の所定の量をチュービング101中に吸引し、プローブ10を上昇させる。流体の所定の容量をプローブ中へ吸引した後、試薬が意図されるスライドを収容する染色セクションへの、流体を含むプローブのロボットによる(robotic)移動の際に、微量の試薬を失うリスクを減少させるために、いくらかの空気を吸引することは、有利であり得る。ロボットヘッドはプローブをスライド上に直接位置するまで動かし、それがスライド上の所定の距離に位置するまでプローブは低くされ得る。次いで、バルブは空気式装置に対して短時間開き、スライド上の組織へ試薬の所定の容量を分配する圧力を短い期間で提供する。
【００６６】
あるいは、プローブを試薬容器上にあげて、空気を吸引することによって空気のギャップを作り出し得、プローブを試薬容器中へ再び下降させ得、同様の試薬の第２の容量を吸引し、再び上昇させて、複数回（典型的に5〜10回）、空気および試薬の吸引を繰り返す。複数の所定のスライドに対して試薬の複数の所定の容量を吸引した後、ロボットヘッドは、流体および空気を含むプローブを、試薬が意図されるスライドを収容する染色セクションに動かす。この手順は、プローブが、試薬セクションからスライドセクションまで一度動くだけなので、非常に時間節約であり得る。同様の試薬が、複数のスライド上に分配される必要がある場合、それは有用である。
【００６７】
更なる代替の手順および第１の流体および第１の空気ギャップをプローブ中へ吸引した後において、複数のスライドに対する試薬が吸引されるまで、第２の流体は他の試薬容器および第２の空気ギャップ等からプローブチュービング中に吸引され得る。
【００６８】
空気的システムは、プローブチューブ中の圧力を調節し得、例えば、好ましくはコンピューターによって生じた制御シグナルに従う、好ましくは染色機中に挿入されたスライドの処理に対するスケジュールに従う、大気圧より低いか高いかの減圧または圧力を提供する。本発明によるプローブのチュービング内に「能動的な(active)」真空を有することによって、試薬容器のデザインは、試薬の所定の量が容器から移されることを確実にすることに対して重大ではない。
【００６９】
１つの態様において、試薬容器内に残留する試薬の量を検出するために取り付けられたまたは組み込まれた流体レベルセンサー（示されない）が、プローブ１０に提供され得る。好ましくは、流体レベルセンサーは、電気的キャパシタンスの変化を検出することによって作動する。かかるキャパシタンスレベル測定装置は当該分野で周知であり、市販にて入手可能である。流体レベルセンサーのレベル感知電極が、試薬容器中への既知の深さに挿入される場合、蓄電器が形成される。電極の金属棒は、蓄電器の１つのプレートとして作用し、参照電極は、他のプレートとして作用する。容器中の試薬のレベルが上昇すると、通常電極を取り囲む空気またはガスは、試薬の異なる誘電率によって置き換えられる。２つのプレート間の誘電体が変化するので、キャパシタンスの値はかくして変化する。このキャパシタンス変化を電子的に検出し、次いで、それを出力シグナルに変える。
【００７０】
本発明によるプローブによって、試薬の吸引された容量の精度および正確さの両方を提供することは可能である。適用された容量が推奨された大きさとは異なる場合、染色結果が悪化する可能性があるので、これは非常に重要であり、顕微鏡で染色試料を分析する場合、これは後に面倒（difficulty）を引き起こし得、誤った診断に対する理由を与え得る。
【００７１】
例：
精度に対する詳述(specification for precision)：
100μlにおけるCV＜10％および100μl〜600μl分配容量の増加
20μl、40μl、および50μlにおける20％CV
正確さに対する詳述(specification for accuracy)：
100μlにおける95％および100μl〜600μl分配容量の増加.
20μl、40μl、および50μlにおける20％CV.
【００７２】
必要である場合はいつでも-典型的に異なる試薬が吸引および分配される場合-ロボットシステムは、プローブ10を洗浄し得る洗浄ステーション8にプローブを動かし得、それによってプローブからその前の試薬の全痕跡を取り除く。
【００７３】
好ましい態様において、洗浄ステーション８（図８）は、試薬に少し浸され得る長さに少なくとも対応する剛性プローブ部材102の長さを収容することが可能な深い貯蔵部81を含む。バルブを通して（示されない）、取り付け部品106を有するチュービング末端は、少なくとも１つの洗浄流体またはクリーニング流体の供給源に接続され得、これはチュービング101を通過し、最終的にプローブ先端から洗浄貯蔵部81中に排出されるだろう。更に洗浄溶液またはクリーニング流体は、プローブ102の外表面を沿って通過し、底部より上方でかつ好ましくは貯蔵部81の上部に近い距離に配置した、廃棄するための排出口82を通って、貯蔵部81から出る。貯蔵部81は、通常密閉された底部バルブ83を開くことによって、空にし得る。
【００７４】
洗浄の後にプローブを乾燥させ、それによってクリーニング流体の任意の痕跡を取り除くために、チュービング末端とバルブを通る取り付け部品106とを接続することにより、プローブを通して、空気の流れを空気源に指向させることができる。
【００７５】
試薬容器：
好ましい態様において、試薬容器またはボトル３は、試料処理装置の試薬セクション中に取り付けられ、プローブの設計と協同するように設計される。
【００７６】
好ましくは、試薬セクションは、複数の試薬容器を受けることが出来る複数の容器を含む。好ましくは、これらの容器の断面は試薬容器の断面と対応する。更に好ましくは、断面は非対照多角形である。現在好ましい態様において、図９〜３１のいくつかで示されるように、断面図は五角形であり、より具体的には五角形は長方形と共通して２つの側面、および３つの角を有する。言い換えれば、好ましい断面は、傾斜された/斜めの第５の辺によって置き換えられた１つの角部を有する長方形である。
【００７７】
好ましい断面図の利点は、容器が、特定方位を有する貯蔵部中でのみ配置され得ることである。また、異なる設計の任意の他の容器は、貯蔵部中に取り付けることが出来ない。これは、試薬の誤った供給に伴う問題を回避する助けとなり得る。容器の形状の代替記述は、容器が締められる(keyed)ことである。
【００７８】
貯蔵部に対する容器の締め（keying）または噛み合い（mating）は、容器の上部(図９、２１、２７、２９において示される)として非常に重要であり、好ましい態様において、２つの特徴：１）流体内容物への接近を提供するカバーを有する首状部(neck)137、および２）容器の内容物に関する識別表示138を含み、好ましくは内容物に対して特異的な情報、例えば、化学物質の名称、送達日、有効期限、および任意の他の関連性のある情報等を含む。あるいは識別表示は、コンピューターを通して、かかる情報を含むアドレスへの接近を提供するコード化番号であり得る。プローブが低く設定される場合に容器のカバーにあたり、一方同時に、カメラ（または他のセンサー装置）が識別表示を読み取り、正しい試薬が吸引され得ることを確実にするために、容器を試薬セクションの貯蔵部中で所定の位置に正確に位置することは、プローブ移動の自動ロボット制御にとって不可欠である。
【００７９】
好ましい態様において、ロボットシステムの操作を制御するコンピューターシステムをプログラムし、全ての試薬の検索を実行すること、様々な試薬の位置を同定すること、好ましくは、全ての試薬のレベルを測定するプローブを使用することによって新たな試料処理を開始する。更に好ましい態様において、コンピューターシステムは、試薬レベルが低いためにセットアップされた染色処理を実行できない場合、使用者に警告するためにプログラムされる。この自動操作を実行するために、試薬容器が同定された位置に固定されたままであることは不可欠である。従って、試薬容器の設計は、それらが位置するラックアセンブリー中の貯蔵部の設計としっかりと協同する必要がある。
【００８０】
１つの態様において、図９〜１２で示されるように、容器は、傾斜された/斜めの第５の側面によって置き換えられた１つの角部を持つ長方形である断面を有する、50mlの容器125である。50mlの容器またはボトル125は、底部130、５つの直立型側面131、132、133、134、135および首状部137を有する上部136からなる。好ましい態様では、図10で詳細に示されるように、上部は、好ましくはラベルであり、かつ容器の内容物を識別する識別表示138を有する。
【００８１】
いくつかの試薬は、種々の容量またはずっと少ない量(even seldom)において使用され、さらに他の試薬は短い貯蔵寿命を有し得、しばしば取り替える必要があるという事実を考慮して、異なる容量を有する試薬を容器中に提供する必要がある。複数の同一の貯蔵部を持つ同一の試薬ステーションにおいて異なる容量を有する複数の容器を配置できるようにするために、チューブ様カバーまたは「アダプター」と呼ばれるシェル、および例えば、1ml、2ml、5ml、10ml、15ml、20ml、25mlまたは同様の容量の内部容量を有する、異なる大きさで提供され得るアダプター内の内部ボトルを含むアセンブリーを提供することが好ましい。一般的に、本発明による装置に対する典型的な試薬容量は、約1ml〜25mlの間であろう。
【００８２】
カバーアダプター：
好ましい態様において、カバーは、50ml容器と同様に外側の円筒形の表面を有するチューブ様エレメント200(図１３)、すなわち、断面は、傾斜された/斜めの第５の辺によって置き換えられた１つの角部を持つ長方形である。
【００８３】
試薬のコンピューター制御自動吸引を可能とするために、プローブが規定された方法で、ボトルの流体内容物中に貫通し得るチューブ様カバー200の内側に、内部のボトルを一定の方法で配置することは不可欠である。これは、カバーおよび内部ボトルに、それぞれ、対応する突起(projection)およびくぼみ(indentation)を設けること、および/またはその逆によってなされ、カバーの内側の内部ボトルの適切に規定された位置を確実にする。突起は、全ての方向において正しい方位を確実にすべきである。意図された方位および位置以外のいかなる方法によって、内ボトルをアダプター200中に挿入することを可能にすべきではない。好ましい態様において、アダプターに関する図１４〜１９および容器に関する図２１〜３０において示される突起およびくぼみの組み合わせを通じてこれは達成される。
【００８４】
アダプター200の狭い側面231、233における突起221、222は、図２７〜２８で示される10mlのボトル410または図２９〜３１で示される5mlのボトル等の内ボトルの底部と協同するであろう。同様の側面において、更なる突起223、224はボトル中のくぼみ251、252と協同する。この方法において、上部のキャップを通じて挿入されるプローブからの圧力に曝露される場合でさえ、ボトルは、アダプター200中の固定された位置に残るであろう。図２１〜２６において示される25mlのボトル250は、さらにくぼみ261、262を有し、突起221、222によってこのボトルが通過するのを可能にする。
【００８５】
好ましい態様において、10mlの内ボトル410（図２７〜２８）および5mlのボトル405（図２９〜３０）は、外部線（external thread）256を有する首状部255および内部線322を有する対応キャップ320（図３２〜２３で示される）を有し、ボトル410またはボトル405への密閉を提供する。5mlのボトル405は、10mlのボトル410と同一の外部の寸法および形状を有するが、異なる内部容量を有する。キャップ320は円形の開口部を含み得、プローブはそれを通してボトル中の流体内容物を吸引し得る。この方法において、内容物への接近を提供するために、作業者(operator)は、キャップをはずす必要が無い。プローブが流体と接触するまでプローブをロボットシステムによって下降させる場合、プローブは、流体内容物に簡単に到達し得る。好ましくは、プローブの流体レベルセンサーは、容器中の流体レベルの決定を可能にする電子回路と電気的に接続している。あるいは、およびいくつかの態様では、試薬容量トラッキングの第２のデータベース方法は、前に詳述した電子的方法の代わりに使用され得るか、またはそれと関連して使用され得る。データベース方法は、特異的な容器からプローブによって取り除かれた試薬の使用量を追跡するためのデータベースの使用を利用し、残りの利用可能な容量を計算する。
【００８６】
しかしながら、汚染および蒸発から試薬流体を保護するために、ボトルに対して確実に固定された密閉を提供することは、大いに望ましい。この末端に対しキャップ320の円形の開口部は、周辺の外側に突き出た縁(rim)またはへり（lip）328およびポリプロピレン等の柔軟な材料を含む対応する隔膜340（図３４〜３５）と協同しかつ固定し得る周辺の/周囲のくぼみまたは溝329を含む周辺端(edge)326を有する縁（skirt）324を有する。対応する隔膜340は、内部に突き出た縁またはへり346および溝/くぼみ348を有する上向き縁344を有し、キャップ320の内側のくぼみ329および縁/へり328と協同し得る。キャップ320がボトル首状部255に固定される場合、首状部の上方の末端が支えとなって、へり346を溝329中に堅く固定させるであろう。
【００８７】
好ましくは、隔膜340（図３４〜３５）は、複数のセクターまたは、２つ、３つ、または４つのセクター等のフラップ351、352、353を含み、これは、上方へまたは下方へ自由に曲げることができ、それによって、プローブの隔膜の貫通が可能となる。流体の所定の量の吸引の後に、プローブを再び上昇させ、それによって、試薬ボトルから後退させる。プローブの後退の際、フラップはプローブの外表面から試薬をふき取るであろう。プローブの後退後、フラップは元の位置に戻り、ボトルの上部上のキャップの内側にほとんど確実に固定された密閉を形成する。この隔膜は、いくつかの利点を有する：試薬の蒸発が減少し、プローブがスライドセクションへの移動のために上昇する場合、フラップの拭きとり作用は、試薬がプローブの外表面上で持ち去られることを防ぐ。
【００８８】
操作の好ましい形態(mode)：
作業者は、染色機等の1つ以上の試料処理装置を制御する制御システムに接続されたコンピューター上で、関連性のあるインプットデータ−処理される予定のいくつかのスライドの要求された処理に関する−を入力する。染色機が空であるか、または染色機の引き出し中のラックにおいて要求されたスライドの設置がない場合、スライドは空の位置にて装填（load）される。
【００８９】
適切なインプットデータを有すると、装置の制御手段はロボットアームを操作してスライドの処理を開始する。試薬が染色または処理のために必要である場合、制御手段に提供されたインプットデータに従って、ロボットはプローブを第１の試薬容器３に動かし、そこでプローブ先端12は試薬中に挿入され、染色されるかまたは処理される試料の数に対応する量で、試薬をプローブ10中に吸引する。
【００９０】
続いて第１の操作形態において、プローブ10をロボットアーム２０によって、スライド７が取り付けられるスライドセクション５内のスライドラックアセンブリー６に向かって動かす。スライド７は表面が水平に指向して位置しており、インプットデータに従って、プローブ１０は試薬の必用とされる量を適切なスライド上に放出する。あるいは第２の操作形態において、プローブ１０をロボットアーム２０によって試薬混合機９に向かって動かし得、ここでそれは試薬を試薬混合機９のカップ部分に放出し、続いてプローブ洗浄ステーション８に動かし、ここでプローブ１０は洗浄されて乾燥される。ロボットアーム２０は、第２の容器３から試薬の選択された容量を収集するために、新たに洗浄されたプローブ１０を第２の選択された試薬容器３に動かし、その後、プローブ１０をロボットアームの手段によって試薬混合機９に動かし、ここでプローブ１０中の試薬を第１の選択された試薬を含む混合機のカップ中に分配する。本発明によれば、特異的な染色または処理過程のために2つより多い試薬を混合する場合、この第２の操作形態は数回開始し得る。完全な混合の後、混合された試薬の要求された量をプローブ１０によって試薬混合機９から抜き取り、インプットデータに従って、適切なスライド上に分配する。
【００９１】
続いて、プローブ１０を有するロボットアームを洗浄ステーション８へ方向付け、プローブ１０を洗浄して乾燥する。その後、第１および第２の操作形態に従う処理は繰り返されるか、またはスライドの処理に対するプロトコルで規定される処理工程に従う新たな試薬もしくは試薬混合物で継続し得る。
【００９２】
好ましい態様によれば、第１の試薬の所定の量を吸引するプローブチュービング101は、第１の試薬容器から取り除かれ、空気の所定の量を吸引し、チュービングの内側に空気のギャップまたは泡を形成し、次いで、第２の試薬容器中に入り、第２の試薬を吸引し得る。空気の泡は２つの試薬を分離させ、泡のメニスカスは、チュービング壁内のワイパーとして作用し、これらの２つの明確な流体の間の汚染を横切って除去する。同様な方法において、ロボットヘッド２２がプローブ１０を染色機の試薬セクション上に配置する単一の期間に、複数の異なる試薬が空気によって吸引されて、かつ分離される。その後、コンピューター制御ロボットヘッド２２は、スライド７を有するセクション５にプローブを動かし、以降の期間、１つまたは複数のスライド上に１つ以上の試薬を分配し得、あるいは異なる試薬を要求する。プローブは試薬セクション２からスライドを有する染色セクションに一度だけ移動し、更に複数のスライド上に複数の試薬容量を分配するので、複数の顕微鏡スライドに対する複数の容量を吸引することは非常に時間短縮であり、装置の高い処理量を支持する。
【００９３】
情報をモニターするまたは獲得する局面に戻ると、システムの態様は、バッファー、試薬、染料等の補充し得る供給情報をモニターするために設計され得る。補充可能な供給に対する潜在的な必要性をモニタリングすることによって、システムは、ヒトの誤りに対する少なくとも１つの可能性を取り除き得る。重要なことに、システムをまた実行してモニターされた情報に関して多数の人々に自動的に通知し得る。補充可能な供給情報に関して、システムは、使用者、作業者、管理者、または実際の潜在的な供給者にさえ、通知し得、または供給を補充する必要性に迫る。したがって、システムは自動通知エレメント等を含むものとして考えられ得る。
【００９４】
本発明は、好ましい態様に関して上記される。しかしながら、添付の特許請求の範囲で定義されるように変形が本発明の範囲から逸脱することなく提供され得ることが理解される。
【図面の簡単な説明】
【００９５】
【図１】図１は、本発明による試料処理装置の一態様の透視図である。
【図２】図２は、本発明による装置の平面図である。
【図３】図３は、本発明によるプローブが取り付けられたロボットヘッドの概略図を示す。
【図４】図４は、本発明によるプローブが取り付けられたロボットヘッドの一態様の第１の視点(view)を示す。
【図５】図５は、図４の視点に対して直角に見た図４のロボットヘッドの第２の視点を示す。
【図６】図６は、本発明の一態様によるプローブの透視図である。
【図７】図７は、図６のプローブの分解図を示す。
【図８】図８は、洗浄ステーションの一態様を示す。
【図９】図９は、50ml試薬容器の透視図を示す。
【図１０】図１０は、図９の同じ容器の側面図を示す。
【図１１】図１１は、図９の同じ容器の側面図を示す。
【図１２】図１２は、図９の同じ容器の底面図を示す。
【図１３】図１３は、より小さい容器の収容のためのアダプターまたはカバーの透視図を示す。
【図１４】図１４は、図１３のアダプターの底面図を示す。
【図１５】図１５は、上部から見た図１３のアダプターの透視図である。
【図１６】図１６は、底部より見た図１３のアダプターの透視図を示す。
【図１７】図１７は、図１４におけるラインA-Aに沿ったアダプターの断面を示す。
【図１８】図１８は、図１４におけるラインB-Bに沿ったアダプターの断面を示す。
【図１９】図１９は、図１４におけるラインC-Cに沿ったアダプターの断面を示す。
【図２０】図２０は、図１３のアダプターの側面図を示す。
【図２１】図２１は、25ml容器の透視図を示す。
【図２２】図２２は、図２１の25ml容器の側面図を示す。
【図２３】図２３は、図２１の25ml容器の側面図を示す。
【図２４】図２４は、図２１の25ml容器の底面図を示す。
【図２５】図２５は、図２１の25ml容器の側面図を示す。
【図２６】図２６は、図２１の25ml容器の断面を示す。
【図２７】図２７は、10ml容器の透視図を示す。
【図２８】図２８は、図２７の10ml容器の断面を示す。
【図２９】図２９は、5ml容器の透視図を示す。
【図３０】図３０は、図２９の5ml容器の直立状態の断面を示す。
【図３１】図３１は、図２９の5ml容器の水平断面を示す。
【図３２】図３２は、容器のためのキャップの上面図を示す。
【図３３】図３３は、図３２のキャップの断面を示す。
【図３４】図３４は、隔膜を示す。
【図３５】図３５は、図３４におけるラインA-Aに沿った隔膜の断面を示す。
【符号の説明】
【００９６】
１  染色装置
２  試薬ステーション（セクション）
３  試薬容器（ボトル/バイアル）
４  フレーム
５  第１および第２のスライドセクション（染色セクション）
６  ラックアセンブリー（ラックシステム）
７  顕微鏡スライドまたはキャリアエレメント（生物学的試料用）
８  プローブ洗浄ステーション
８１  貯蔵部（８中）
８２  流出口
８３  底部バルブ
９  試薬混合機
１０  流体（試薬）分配デバイスまたはプローブ
２０  ロボットアーム
２２  ロボットヘッド
２５  ＣＣＤカメラ
１０１  柔軟な(flexible)チューブ（連続プローブチュービングエレメント）
１０２  プローブ部材
１０３  らせん状に巻かれたセクション（コイル、巻き線）
１０４  ノズル末端、吸引および分配末端
１０５  プローブマウンティング末端
１０６  接続取り付け部品
１２２  空気ノズル
２０５  保持手段、ホルダー
空気圧力調節装置（図示せず）
１２５  50ml容器ボトル
１５６  識別表示（ラベル）
１３０  底部
１３１、１３２、１３３、１３４、１３５  側面
１３６  上部
１３７  首状部
１３８  ラベル
２００  カバー、シェル
２３１、２３２、２３３、２３４、２３５  側面
２２１、２２２、２２３、２２４  突起
２５０  25ml容器（ボトル/バイアル）
４１０  10ml容器（ボトル/バイアル）
４０５  5ml容器（ボトル/バイアル）
２５１、２５２  容器本体のくぼみ
２５５  首状部、上部開口部
２５６  外部線
３２０  キャップ
３２２  内部線
３２４  縁
３２６  周辺端
３２８  縁/へり
３２９  溝/くぼみ
３４０  隔膜
３４４  上向きの縁
３４６  突起/縁/へり
３４８  くぼみ/溝
３５１〜３５３  フラップ
【図２９】
2007526479.tif 000003
【図１】
2007526479.tif 000004
【図２】
2007526479.tif 000005
【図３】
2007526479.tif 000006
【図４】
2007526479.tif 000007
【図５】
2007526479.tif 000008
【図６】
2007526479.tif 000009
【図７】
2007526479.tif 000010
【図８】
2007526479.tif 000011
【図９】
2007526479.tif 000012
【図１０】
2007526479.tif 000013
【図１１】
2007526479.tif 000014
【図１２】
2007526479.tif 000015
【図１３】
2007526479.tif 000016
【図１４】
2007526479.tif 000017
【図１５】
2007526479.tif 000018
【図１６】
2007526479.tif 000019
【図１７】
2007526479.tif 000020
【図１８】
2007526479.tif 000021
【図１９】
2007526479.tif 000022
【図２０】
2007526479.tif 000023
【図２１】
2007526479.tif 000024
【図２２】
2007526479.tif 000025
【図２３】
2007526479.tif 000026
【図２４】
2007526479.tif 000027
【図２５】
2007526479.tif 000028
【図２６】
2007526479.tif 000029
【図２７】
2007526479.tif 000030
【図２８】
2007526479.tif 000031
【図３０】
2007526479.tif 000032
【図３１】
2007526479.tif 000033
【図３２】
2007526479.tif 000034
【図３３】
2007526479.tif 000035
【図３４】
2007526479.tif 000036
【図３５】
2007526479.tif 000037
【国際調査報告】
2007526479.tif 000038